(57)【要約】      （修正有）【課題】マット体以外の構造は全て共通化が可能であるため、生産性向上とコスト低減を可能とし、さらには広巾のマット体への交換を可能とする折畳みベッドを提供する。【解決手段】上半身のマット体２Ａを載置しうる第１のベッド枠体３Ａと、下半身のマット体２Ｂを載置しうる第２のベッド枠体３Ｂとを具え、枢結部４を介して、第１と第２のベッド枠体とが水平展開状態と逆Ｖ字状態との間で折曲がり可能に連結するベッドであって、ベッド本体５は、両端部に床面走行用の転動ローラ８を具える支持台９に第１のベッド枠体の前部を枢支し、かつ枢結部に床面で受ける中間脚１０を設けるとともに、支持台に、折り畳まれることにより下に傾動して垂直となる上半身のマット体のマットフレーム６の枢支点１９前方部下端よりも低い位置で前方に伸びる前軸部１１と、その端部で上にのびかつ宮板１３を設けた立上げ部１４とを具え、折り畳みに際して前記上半身のマット体との衝合を防止される宮部材１５を設けた折畳みベッド１。【選択図】  図３
2004358201.tif 000002
【特許請求の範囲】
【請求項１】
頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、
各マット体は、略矩形のマットフレームと、このマットフレーム上に配されるマットとからなり、
かつベッド本体は、両端部に床面走行用の転動ローラを具える支持台に前記第１のベッド枠体の前部を枢支し、かつ前記枢結部に床面で受ける中間脚を設けるとともに、
前記支持台に、折り畳まれることにより下に傾動して垂直となる上半身のマット体のマットフレームの枢支点前方部下端よりも低い位置で前方に伸びる前軸部と、その端部で上にのびかつ宮板を設けた立上げ部とを具え、折り畳みに際して前記上半身のマット体との衝合を防止される宮部材を設けたことを特徴とする折畳みベッド。
【請求項２】
頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、
各マット体は、略矩形のマットフレームと、このマットフレーム上に配されるマットとからなり、
かつベッド本体は、両端部に床面走行用の転動ローラを具える支持台に前記第１のベッド枠体の前部を枢支し、かつ前記枢結部に床面で受ける中間脚を設けるとともに、
前記支持台に、折り畳まれることにより下に傾動して垂直となる上半身のマット体のマットフレームの枢支点前方部下端よりも低い位置で前方に伸びる前軸部と、その端部で上および下にのびかつ宮板を設けた宮板取付部とを具え、折り畳みに際して前記上半身のマット体との衝合を防止される宮部材を設けたことを特徴とする折畳みベッド。
【請求項３】
頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、
各マット体は、略矩形のマットフレームと、このマットフレーム上に配されるマットとからなり、
かつベッド本体は、両端部に床面走行用の転動ローラを具える支持台に前記第１のベッド枠体の前部を枢支し、かつ前記枢結部に床面で受ける中間脚を設けるとともに、
前記支持台に、折り畳まれることにより下に傾動して垂直となる上半身のマット体のマットフレームの枢支点前方部下端よりも低い位置で前方に伸びる前軸部と、その端部で下にのびかつ宮板を設けた宮板取付部とを具え、折り畳みに際して前記上半身のマット体との衝合を防止される宮部材を設けたことを特徴とする折畳みベッド。
【請求項４】
前記支持台は、前記転動ローラを有する支持軸部と、この支持軸部から立ち上がる支脚部とを具え、前記前軸部は、前記支持台の支持軸部からなることを特徴とする請求項１記載の折畳みベッド。
【請求項５】
前記第１のベッド枠体は、両側に配された一対の支持台間で枢支され、
前記一対の支持台間を連結した継ぎ杆に前軸部の後端部を取付けたことを特徴とする請求項１〜３記載の折畳みベッド。
【請求項６】
前記マットフレームは、前記側枠材の外面間の長さである巾が、前記ベッド枠体の巾よりも大であることを特徴とする請求項１〜５のいずれかに記載の折畳みベッド。
【請求項７】
前記宮板は、前記ベッド枠体よりも広巾であることを特徴とする請求項１〜６のいずれかに記載の折畳みベッド。
【請求項８】
前記第２のベッド枠体は、その後端部に、下端に転動ローラを設けた脚部材を一体に設けたことを特徴とする請求項１〜７のいずれかに記載の折畳みベッド。
【請求項９】
前記第２のベッド枠体は、両端部に床面走行用の転動ローラを具える支持台に後部を枢支したことを特徴とする請求項１〜８のいずれかに記載の折畳みベッド。
【請求項１０】
前記宮板は、開口部と、その前部に設けられた棚部を具えることを特徴とする請求項１〜９のいずれかに記載の折畳みベッド。
【発明の詳細な説明】
【０００１】
【発明の属する技術分野】
本発明は、ニーズに応じた任意寸法の広巾のマット体を載置することができ、各種巾のマット体を用いた多種類の折畳みベッドにおいて、マット体以外の構造の共通化が可能な折畳みベッドに関する。
【０００２】
【従来の技術】
一対のベッド半体を連結して、逆Ｖ字状に山形で折畳みすることにより、例えば布団などの寝具を敷いたまま収納を可能とする折畳みベッドが知られている。しかし、この種折畳みベッドでは、水平展開状態に於て、ベッド半体の前後端部に腰掛けると、ベッド半体が不意に揺動して、勢い良く逆Ｖ字状に折り畳まれて人がベッドから落ちてしまうことがあり、安全上問題があった。
【０００３】
そこで、本出願人は、図２０に示すように、上半身を載せる前ベッド半体ａと、下半身を載せる後ベッド半体ｂとを、逆Ｖ字状に折畳み自在として枢結した折畳式ベッドに於て、床面上を転動するローラ群ｃを有する自立支持台ｄに上記前ベッド半体ａの前端寄りを揺動可能に枢支し、該自立支持台ｄが、水平展開状態に於て上記前ベッド半体ａの前端縁部ａ１の上方を覆う腰掛防止兼用飾り枠ｅを有する折畳みベッドを提案している（特許文献１参照）。これにより水平展開状態に於て、腰掛防止兼用飾り枠ｅが前ベッド半体ａの前端縁部ａ１の上方を覆うため、前端縁部ａ１に人が腰掛けることが不可能となり、前端縁部ａ１に荷重が加わることが無く、水平展開状態から不意に折畳まれてしまうことを防止でき、安全性を確保することができた。
【０００４】
【特許文献１】
特開平１１−２７６３０５号公報（請求項１、図１）
【０００５】
【発明が解決しようとする課題】
近年折畳みベッドに対するニーズの多様化により、広巾のマット体を備えた折畳みベッドの需要がある。しかし、図２０に示す折畳みベッドでは、広巾のマット体ｆを取付けると、折畳み動作の際に、前方部分のマット体ｆが、腰掛防止兼用飾り枠ｅの水平部ｅ１と干渉して折畳みが不可能になり、従ってマット体ｆの巾を広くすることができない。また、広巾のマット体寸法に合わせて設計した大型サイズの折畳みベッドを新たに生産することも考えられるが、コストが増大する上に全体の重量が重くなる。
【０００６】
【発明が解決しようとする課題】
本発明は、以上のような問題点に鑑み案出なされたもので、ニーズに応じた任意寸法の広巾のマット体を載置することができ、また各種巾のマット体を用いた多種類の折畳みベッドのおいて、マット体以外の構造の共通化を可能とし、さらには広巾のマット体への交換をも可能とする折畳みベッドの提供を目的とする。
【０００７】
【課題を解決するための手段】
本発明のうち請求項１記載の発明は、頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、各マット体は、略矩形のマットフレームと、このマットフレーム上に配されるマットとからなり、かつベッド本体は、両端部に床面走行用の転動ローラを具える支持台に前記第１のベッド枠体の前部を枢支し、かつ前記枢結部に床面で受ける中間脚を設けるとともに、前記支持台に、折り畳まれることにより下に傾動して垂直となる上半身のマット体のマットフレームの枢支点前方部下端よりも低い位置で前方に伸びる前軸部と、その端部で上にのびかつ宮板を設けた立上げ部とを具え、折り畳みに際して前記上半身のマット体との衝合を防止される宮部材を設けたことを特徴とする。これにより、宮板を具えた折畳みベッドにおいて、ニーズに応じた任意寸法の広巾のマット体を載置することができ、また各種巾のマット体を用いた多種類の折畳みベッドにおいて、マット体以外の構造は全て共通化が可能であるため、生産性向上と、コスト低減が可能であり、かつ広巾のマット体への交換も可能となる。
【０００８】
また請求項２記載の発明は、宮部材は、前軸部と、その端部で上および下にのびかつ宮板を設けた宮板取付部とを具えたことを特徴とし、請求項３記載の発明は、宮部材は、前軸部と、その端部で下にのびかつ宮板を設けた宮板取付部とを具えたことを特徴とする。
【０００９】
請求項４記載の発明は、前記支持台は、前記転動ローラを有する支持軸部と、この支持軸部から立ち上がる支脚部とを具え、前記前軸部は、前記支持台の支持軸部からなることを特徴とし、請求項５記載の発明は、前記第１のベッド枠体は、両側に配された一対の支持台間で枢支され、前記一対の支持台間を連結した継ぎ杆に前軸部の後端部を取付けたことを特徴とする。
【００１０】
また請求項６記載の発明は、前記マットフレームは、前記側枠材の外面間の長さである巾が、前記ベッド枠体の巾よりも大であることを特徴とし、請求項７記載の発明は、前記宮板は、前記ベッド枠体よりも広巾であることを特徴とする。
【００１１】
また請求項８記載の発明は、前記第２のベッド枠体は、その後端部に、下端に転動ローラを設けた脚部材を一体に設けたことを特徴とし、請求項９記載の発明は、前記第２のベッド枠体は、両端部に床面走行用の転動ローラを具える支持台に後部を枢支したことを特徴とし、請求項１０記載の発明は、前記宮板は、開口部と、その前部に設けられた棚部を具えることを特徴とする。
【００１２】
【発明の実施の形態】
以下本発明の実施の一形態を図面に基づき説明する。図１は本実施形態の折畳みベッド１の展開状態の斜視図、図２はその平面図、図３はその側面図である。図１において折畳みベッド１は、マット体２と、このマット体２を載置するベッド本体５と、このベッド本体５を支える支持台９と、宮部材１５とを具える。
【００１３】
前記マット体２は、頭部を前に位置させ上半身を載せる上半身のマット体２Ａと、下半身を載せる下半身のマット体２Ｂとを含み、各マット体２Ａ、２Ｂは略矩形のマットフレーム６とその上に配されるマット７とからなり、略同形に形成される。
【００１４】
前記マットフレーム６は、図４に示すように、パイプ材で形成され、側枠材６ａを含む略矩形の外周枠に補強枠３１を配し、さらにネット体Ｎを張設することにより構成されたものを例示する。外周枠と補強枠３１により全体としての強度が得られて、変形を生じることがなく、ネット体Ｎにより、体重を分散して支持することができるとともに、クッション性を与え快適性を高めうる。
【００１５】
マット７は前記マットフレーム６の上に一体に形成され、例えば１０〜３０ｃｍ程度の厚さの各種発泡体等を用い、その表面は、布、樹脂シート等で覆われる。
【００１６】
前記ベッド本体５は、第１のベッド枠体３Ａの後端部と第２のベッド枠体３Ｂの前端部を、枢結部４を介して連結して形成される。
【００１７】
第１、第２のベッド枠体３Ａ、３Ｂは、本例では、パイプ材等からなり前後方向に平行な補強材２３ａを配した略矩形の周囲枠２３を含み構成されたものを例示する。前記第１、第２のベッド枠体３Ａ、３Ｂには、前記上半身、下半身のマット体２Ａ、２Ｂが各々載置され、マット体２のマットフレーム６は、周囲枠２３、補強材２３ａにビス止め等により固定される。なお本例では、図２に示すように、マットフレーム６の巾Ｗ１（側枠材６ａ、６ａの外面間の長さ）が、ベッド枠体３の巾Ｗ２よりも広いマット体２を載置している。また図５に示すように、第１のベッド枠体３Ａの後端側、第２のベッド枠体３Ｂの前端側には、前記ベッド枠体３の側枠部２３ｂが延長して突出する突出部２３ｄが形成され、第１、第２のベッド枠体３Ａ、３Ｂの突出部２３ｄ、２３ｄは間隔を隔てて向き合う。
【００１８】
前記枢結部４は、前記向き合う突出部２３ｄ、２３ｄを枢着するベッド両側の連結金具２４、２４と、その間を継ぐベッド巾方向に平行な結合軸２５を有する。前記連結金具２４は、本例では、図５に示すように、一対の側片２４ａ、２４ａを底片２４ｂで継いだ断面略コ状をなし、前記側片２４ａ、２４ａ間で突出部２３ｄ、２３ｄを各々枢着し、かつ底片２４ｂはその前後端を切り欠き、該突出部２３ｄ、２３ｄを下方に折り曲げるための切欠き部２４ｃを設けたものが例示される。これにより、前記第１のベッド枠体３Ａと第２のベッド枠体３Ｂは水平展開状態と逆Ｖ字状態との間で折曲がり可能に連結される。また連結金具２４はカバー２６で覆うことにより安全性と見栄えを高めうる。
【００１９】
また前記枢結部４には、結合軸２５から垂下形成された中間脚１０が設けられる。該中間脚１０は、本例では、図１に示すように、結合軸２５から垂下する一対の支柱部１０ａ、１０ａと、この支柱部１０ａの下端を継ぎかつ中間部に上に向って凸に湾曲する隆起部１０ｂを有する脚台枠部１０ｃとから構成されたものを例示する。このような中間脚１０は、第１、第２ののベッド枠体３Ａ、３Ｂの間に配され、脚台枠部１０ｃが床面Ｆに当接することにより、水平展開状態のベッドを安定して支持する。
【００２０】
また、本例では、図１、３に示すように、前記中間脚１０の隆起部１０ｂと第１のベッド枠体３Ａの前端部、及び第２のベッド枠体３Ｂの後端部の間に引きバネ等の弾性材４０をそれぞれ架け渡している。この弾性材４０は第１、第２のベッド枠体３Ａ、３Ｂに常時逆Ｖ字状態へと折畳む向きに付勢している。これにより折畳みする際の持上げ力の軽減と、逆Ｖ字状態から展開する際の加速度的な展開が緩和され、使い勝手を向上しうる。
【００２１】
前記枢結部４で連結された第２のベッド枠体３Ｂは、その後端部に、下端にキャスターからなる転動ローラ８を具え、かつベッド本体５の前後方向の中心軸Ｘに対して対称に配された垂直で一対の脚部材１８、１８が一体に設けられている。また、両側の脚部材１８、１８の上部は門方に連続して手摺部４１を形成している。この手摺部４１は、折畳みベッド１を移動する際等に持ち手として便利に使用でき、さらに足元の布団の滑り止めとして機能し、安眠を助ける。また第２のベッド枠体３Ｂの後端部中央に補助ローラ３６が突設されたものを例示している。図８に示すように、逆Ｖ字状態における第２のベッド枠体３Ｂは、前記補助ローラ３６により、床面Ｆに安定して支持される。
【００２２】
前記枢結部４で連結された第１のベッド枠体３Ａは、その前部が、両側に配置された一対の支持台９に枢支される。なお、本明細書で第１のベッド枠体３Ａの前部とは、第１のベッド枠体３の前端縁から少し後寄りの部分をいう。
【００２３】
前記支持台９は、図６、７に示すように、支持軸部１６と支脚部１７とを具える。前記支持軸部１６は両端部に床面走行用のキャスターからなる転動ローラ８、８を具えた前後方向に平行な水平杆状をなす。また支脚部１７は、本例では、表面がベッドの側方を向いた縦長の矩形板状をなし、下端部が前記支持軸部１６に固定されることにより支持軸部１６の略中央から逆Ｔ字状に立ち上がる。前記支脚部１７の上端部の前寄りに設けた枢支孔２７と、前記第１のベッド枠体３Ａの側枠部２３ｂの枢支受孔２８とに、ボルトからなる枢支軸体２９が挿通することにより、前記第１のベッド枠体３Ａは、枢支点１９において、両側の支脚部１７、１７間で枢支される。このように、ベッド枠体３Ａの前部は、支持軸部１６の前後両端部に転動ローラ８を具えた支持台９間で枢支されるため、安定した支持がなされる。なお、前記枢支点１９は、枢支孔２７、枢支受孔２８又は枢支軸体２９により形成され、前記第１のベッド枠体３Ａ、および上半身のマット体２Ａの前部を枢支する箇所をいう。
【００２４】
また支脚部１７の上端部の後寄りに設けたキー孔３３と、前記第１のベッド枠体３Ａの側枠部２３ｂに形成され展開状態で前記キー孔３３と同芯となるキー受孔３５ａに、ピン３４を挿通することにより、ベッド本体５の展開状態がロックされ、不意に折れ曲ることが防止される。さらに、図９に示すように、第２のベッド枠体３Ｂの側枠部２３ｂに形成され逆Ｖ字状態で前記キー孔３３と同芯となるキー受孔３５ｂにピン３４を挿通することにより逆Ｖ字状態が維持される。なおピン３４は吊下げ具３０を用いて適宜吊下される。
【００２５】
さらに、両側の支持台９、９は、その支脚部１７、１７間がベッドの巾方向に平行な継ぎ杆１２で連結されている。これにより、両側の支持台９、９が一体化されるため、該支持台９の側方への倒れが防止され、折畳み展開動作時の動作、転動ローラ８による移動等が円滑となる点で好ましい。
【００２６】
前記宮部材１５は、前軸部１１と、立上げ部１４とを具え、前記第１のベッド枠体３Ａを枢支する支持台９に設けられる。本例では、前記前軸部１１は、図４、６に示すように、支持台９の支持軸部１６の前寄りの部分からなる。そして前記立上げ部１４は、前記前軸部１１の前端部から上方に一体に伸びた立上がリ部分で形成され宮板１３を取付けている。このように、本例では、宮部材１５が支持台９と一体に形成されているため、立上げ部１４に取付られる宮板１３の支持が安定し、構造を簡易化できる。
【００２７】
前記前軸部１１は、図３に示すように、前記支持台９と第１のベッド枠体３Ａの枢支点１９と前軸部１１の上面との距離Ｌ１が、前記枢支点１９と上半身のマット体２Ａのマットフレーム６の前端縁との距離Ｌ２より大きい位置に形成される。すなわち、図８に示すように、前記前軸部１１は、折畳まれた状態での上半身のマット体２Ａのマットフレーム６の下端縁よりも低い位置（高さ）に形成されるため、たとえ上半身のマット体２Ａが広巾であっても、折畳み時に前軸部１１は前記上半身のマット体２Ａとの衝合が防止され、水平展開状態と逆Ｖ字状態との間で折曲り展開が可能である。従って、宮板１３を具える折畳みベッドにおいて、広巾のマット体を載置することができ、多様な需要を満たすことができる。また各種巾のマット体を用いた多種類の折畳みベッドのおいて、マット体以外の構造は全て共通化が可能なため、生産性向上と、コスト低減が可能である。さらには使用中の折畳みベッドにおいて、広巾のマット体への交換も可能となる。
【００２８】
なお、宮板１３は、その両端部が前記立上げ部１４、１４に取付けられることにより、前記ベッド本体５の前端部に配されている。また本例の宮板１３は、前記ベッド枠体３よりも広巾に形成されているため、ベッド枠体３よりも広巾のマット体２の前端部の全巾を覆うことができる。
【００２９】
図１０は異なる実施形態を示し、前記と同様の構成は同一の符号を付して説明を省略する。本例では、宮部材１５は、水平な前軸部１１と該前軸部１１の前端で折れ曲って上方に伸びる立上げ部１４とを具え、断面矩形のＬ字棒状をなしている。前記前軸部１１の後端部は、前記第１のベッド枠体３Ａの両側の支持台９、９間を連結する継ぎ杆１２に、該継ぎ杆１２から垂下する接合部４５を介して取付けられている。
【００３０】
前記接合部４５は、上端を前記継ぎ杆１２の下面にボルト固定された縦長の溝形体４５ａからなり、該溝形体４５ａの下端部のフランジ間で前記前軸部１１の後端部を固着している。該接合部４５下端部から前方に伸びる前軸部１１は、逆Ｖ字状に折畳まれた上半身のマット体２Ａのマットフレーム６の下端よりも低い位置に配され、その前部に設けた転動ローラ８により略水平に支持されている。
【００３１】
前記宮部材１５は、本例では、継ぎ杆１２の両端から少し内側の位置に一対設けられ、前記宮板１３は、両側の立上げ部１４，  １４の上部間に固定されている。本例では、前記前軸部１１の継ぎ杆１２に対する取付け位置を変えることにより、宮部材１５を支持台９，  ９間の任意の位置に設けることができ、従って大小各種の巾の宮板１３の取付を簡単に行なえる。また、重量が大きな宮板１３等大きな取付強度が必要な場合、両側を支持する一対の宮部材１５，  １５に加えて宮板１３の中間部を支持する宮部材１５を追加することができる。
【００３２】
図１１は更に異なる実施形態を示し、本例では、支持台９、９間を連結する継ぎ杆１２に接合部４５を介して取付けた両側の前軸部１１、１１の前端部が、中央に転動ローラ８を設けた連結軸４６で連結されている。このように、両側の宮部材１５、１５は、その前部が連結軸４６で連結されて一体化するため、宮板１３を安定して取付けでき、また両側の宮部材１５、１５の床面走行の支持を、連結軸４６の中央部に設けた一つの転動ローラ８で行なうため、構造が簡単である。
【００３３】
図１２、１３は更に異なる実施形態を示し、図１２はその側面図、図１３はその要部斜視図である。本例の宮部材１５は、前記第１のベッド枠体３Ａを枢支する支持台９、９間を連結する継ぎ杆１２に後端部が直接固定され前方に伸びる角棒状の前軸部１１と、該前軸部１１の前端部に下部を固定された略垂直な丸パイプ状の立上げ部１４を含み、立上げ部１４の下端部に転動ローラ８を設ける。また前記両側の立上げ部１４、１４の上部に、宮板１３を取付けている。本例では、立上げ部１４の下端部に設けた転動ローラ８で宮板１３の荷重を支えるため、該荷重が立上げ部１４の軸上を床面に真直ぐ伝わり、従って宮板１３の支持が安定する。
【００３４】
また、本例では、宮板１３は略中央に形成された開口部２０と、該開口部２０の前部に設けられた棚部２１を有する。前記棚部２１は、本例では、棚板２１ａ、背板２１ｂ、側板２１ｃ、上板２１ｄよりなる箱状のものが例示されているが、棚板２１ａのみからなるもの、上板２１ｄを欠くもの等各種の変形が可能である。また開口部２０は、本例では、矩形状をなすが、楕円形状、三角形状等の変形も可能である。このように、棚部２１は時計、携帯電話、本等の小物を置くことができ、しかもその小物は前記開口部２０を通してベッド側から出し入れが容易であり、便利に使用することができる。
【００３５】
また、本例では、図１２に示すように、第２のベッド枠体３Ｂの後部が、両端部に床面走行用の転動ローラ８、８を有する支持軸部１６と支脚部１７とを具える支持台９Ｂに枢支されている。前記第２のベッド枠体３Ｂを枢支する支持台９Ｂは第２のベッド枠体３Ｂの側枠部２３ｂに枢着され、他方前記第１のベッド枠体３Ａを枢支する支持台９Ａは第１のベッド枠体３Ａの周囲枠２３の内側に配された補強材２３ａに枢着されているため、ベッド本体５が逆Ｖ字状態に折れ曲る時、支持台９Ａ、９Ｂが干渉することを回避しえる。このように、本例では、第１のベッド枠体３Ａの前部、第２のベッド枠体３Ｂの後部が、各々両端部に床面走行用の転動ローラ８、８を具えた支持台９で枢支されるため、前記ベッド本体５は、水平展開状態は勿論、逆Ｖ字状態、或いは折れ曲り途中の動作状態において、安定した支持がなされる。
【００３６】
また、図１２に一点鎖線で示すように、第１のベッド枠体３Ａに載置される上半身のマット体２Ａは、その前端部寄りが起き上がるように折れ曲り、その折曲り部３２は周知の角度調整維持機構（図示せず）により、角度可変に支持される。
【００３７】
また図１４、１５は更に異なる実施形態を示し、図１４は要部斜視図であり、図１５は要部の側面図である。本例では、前軸部１１は、上軸部１１ａと、該上軸部１１ａと後部で連続する下軸部１１ｂとからなる。上軸部１１ａに設けた溝状の取付材４８が支持台９、９を連結する継ぎ杆１２に下方から嵌合し、かつ固着具で固着されることにより、前軸部１１は継ぎ杆１２に固定される。なお、上記取付材４８はＬ字状のものを使用することもでき、また該取付材４８は、本例では、溶接により上軸部１１ａに固定される。本例の立上げ部１４は、垂直な丸棒で形成され、該立上げ部１４の下端部は、前記下軸部１１ｂの前端部に固着されている。また前記上軸部１１ａは、前端に上方に向けて緩やかに曲がる湾曲部１１ｃを具え、該湾曲部１１ｃの先端が前記立上げ部１４に固着されている。このように本例では、前軸部１１は、上下２箇所で立上げ部１４に固着してこれを支持するため、立上げ部１４の支持状態が安定する。さらには、立上げ部１４は、その下端部に転動ローラ８を設けているため、宮板１３に掛かる負荷は立上げ部１４の軸上を真直ぐ床面に伝わり回転モーメントを生じることがなく、従って、宮板１３に座るなどしても、宮板１３は傾くことがなく、またベッド本体５が不意に折畳まれることも防止される。
【００３８】
さらに、前記立上げ部１４は、その中位にＬ字状の受片５０が設けられ、該受片５０が立上げ部１４に固着具４９で固定された宮板１３の下部を支持しているため、宮板１３の取付が安定する。しかもＬ字状の受片５０と立上げ部１４の間で受溝部５１が形成され、該受溝部５１に宮板１３の下部が嵌合されるため、宮板１３の取付が簡単に行える点で好ましい。さらに、本例では、前記上軸部１１ａの前端部は、前記受片５０及び立上げ部１４と一体に固着されるため、宮部材１５の強度が大きい。
【００３９】
前記上軸部１１ａの湾曲部１１ｃは、下軸部１１ｂと、立上げ部１４との間にリング状の連結環５２が固着されるため、上軸部１１ａ、下軸部１１ｂ及び立上げ部１４の一体性が高まって、宮部材１５の剛性を大とし、従って宮板１３の支持が安定する点で好ましい。
【００４０】
図１６、１７は、他の折畳みベッドを示し、図１６は要部斜視図であり、図１７は要部側面図である。宮部材１５は、後端が第１のベッド枠体３Ａを枢支する支持台９、９間を連結する継ぎ杆１２に固着され、かつ前方に伸びる角棒状の前軸部１１と、該前軸部１１の前端部で上および下に伸びる宮板取付部２２とを具え、間隔を隔てて一対配されている。前記前軸部１１は、後端上部に後方に向いた溝型の固定部５４を設けている。そして前軸部１１の後端部は、前記固定部５４を前記継ぎ杆１２に嵌合し、かつ固定部５４と継ぎ杆１２とを貫挿する固着具５５により固定部５４を継ぎ杆１２に取付けることにより、継ぎ杆１２に固着している。
【００４１】
また、前記宮板取付部２２は、前軸部１１の前端部から上に伸びる上片２２ａと、下に伸びる支持溝部２２ｂとを具える。該支持溝部２２ｂは、上片２２ａが下方に延長して形成された垂下片２２ｃと、該垂下片２２ｃの下端から前方に折れ曲る下片２２ｄと、該下片２２ｄの前端で立ち上がる前片２２ｅとからなり、該支持溝部２２ｂは、前記宮板１３の下端部を嵌合支持するため、宮板１３の支持強度が安定する点で好ましい。さらに前記宮板１３は、上下一対の固着具５３，  ５３により宮板取付部２２に固着され、特に下位の固着具５３は、上片２２ａと、宮板１３と、前片２２ｅとを貫挿し、上片２２ａと前片２２ｅで宮板１３を挟着するため、宮板１３の支持強度が安定する点で好ましい。また前記支持溝部２２ｂは、下片２２ｄに転動ローラ８を設け、宮板１３の荷重を直下の床面Ｆで支持するため、宮板１３を更に安定して支持できる点で好ましい。なお、この折畳みベッドは、前記図１〜図１５において開示したマット体２、ベッド本体５、及び宮板１３の構成と同等のものを採用することができる。
【００４２】
図１８、１９は、更に異なる折畳みベッドを示し、図１８は要部斜視図であり、図１９は要部側面図である。この折畳みベッドの宮部材１５は、前軸部１１と、該前軸部１１の前端部で下に伸びる宮板取付部２２とを具える。前記宮板取付部２２は、前軸部１１の前端から垂下する垂下片２２ｃと、下片２２ｄと、前片２２ｅとを一体に設けた支持溝部２２ｂからなり、該支持溝部２２ｂは、宮板１３の下端部を嵌合支持するとともに、前片２２ｅを貫挿する固着具５３により宮板１３を固着している。なお、前記下片２２ｄは、その下部に転動ローラ８を設け、宮板１３の荷重を床面Ｆで支持している。なお、この折畳みベッドは、前記図１〜図１５において開示したマット体２、ベッド本体５、及び宮板１３の構成と同等のものを採用することができる。
【００４３】
【発明の効果】
上述したように発明は、支持台に、折り畳まれることにより下に傾動して垂直となる上半身のマット体のマットフレームの枢支点前方部下端よりも低い位置で前方に伸びる前軸部と、その端部で上に伸びかつ宮板を設けた立上げ部と具え、折り畳みに際して上半身のマット体との衝合が防止される宮部材を設けたことを基本とするため、宮板を具えた折畳みベッドにおいて、ニーズに応じた任意寸法の広巾のマット体を載置することができ、また各種巾のマット体を用いた多種類の折畳みベッドのおいて、マット体以外の構造は全て共通化が可能であるため、生産性向上と、コスト低減が可能である。さらには広巾のマット体への交換も可能となる。
【図面の簡単な説明】
【図１】本発明の一実施形態を例示するベッドの全体斜視図である。
【図２】その平面図である。
【図３】その側面図である。
【図４】その要部を示す斜視図である。
【図５】第１、第２のベッド枠体の連結状態を例示する斜視図である。
【図６】第１のベッド枠体の支持台への枢支状態を例示する分解斜視図である。
【図７】その平面図である。
【図８】折畳み状態を例示する側面図である。
【図９】その要部を示す斜視図である。
【図１０】他の実施形態を例示する要部斜視図である。
【図１１】更に異なる実施形態を例示する要部斜視図である。
【図１２】更に異なる実施形態を例示する側面図である。
【図１３】その要部斜視図である。
【図１４】更に異なる実施形態を例示する要部斜視図である。
【図１５】その要部の側面図である。
【図１６】他の折畳みベッドを例示する要部斜視図である。
【図１７】その要部の側面図である。
【図１８】更に異なる折畳みベッドを例示する要部斜視図である。
【図１９】その要部の側面図である。
【図２０】従来の折畳みベッドを例示する斜視図である。
【符号の説明】
１      折畳みベッド
２      マット体
２Ａ    上半身のマット体
２Ｂ    下半身のマット体
３      ベッド枠体
３Ａ    第１のベッド枠体
３Ｂ    第２のベッド枠体
４      枢結部
５      ベッド本体
６      マットフレーム
７      マット
８      転動ローラ
９      支持台
１０      中間脚
１１      前軸部
１２      継ぎ杆
１３      宮板
１４      立上げ部
１５      宮部材
１６      支持軸部
１７      支脚部
１８      脚部材
１９      枢支点
２０      開口部
２１      棚部
２２      宮板取付部
【図１】
2004358201.tif 000003
【図２】
2004358201.tif 000004
【図３】
2004358201.tif 000005
【図４】
2004358201.tif 000006
【図５】
2004358201.tif 000007
【図６】
2004358201.tif 000008
【図７】
2004358201.tif 000009
【図８】
2004358201.tif 000010
【図９】
2004358201.tif 000011
【図１０】
2004358201.tif 000012
【図１１】
2004358201.tif 000013
【図１２】
2004358201.tif 000014
【図１３】
2004358201.tif 000015
【図１４】
2004358201.tif 000016
【図１５】
2004358201.tif 000017
【図１６】
2004358201.tif 000018
【図１７】
2004358201.tif 000019
【図１８】
2004358201.tif 000020
【図１９】
2004358201.tif 000021
【図２０】
2004358201.tif 000022